(57)【要約】  【課題】  不使用時に転写ヘッドを保護することができるカバーを設けることができ、且つそのカバーによる保護を自動的に設定・解除することができる塗膜転写具とする。  【解決手段】  開口部１２ａを有するケース１２と、ケース１２内に配設されて基材テープに塗膜を備えた転写テープ１６を繰り出す繰出部１８及び転写後の転写テープを巻き取る巻取部２０と、ケース１２の開口部１２ａに配設されて転写テープ１６を被転写面に押圧して塗膜を転写する転写ヘッド２４と、ケース１２の開口部１２ａ付近に設けられて、ケース１２に対して、転写ヘッド２４を包囲する位置と、転写ヘッド２４を露出する位置との間で移動可能なカバー２８と、カバー２８を転写ヘッド２４を包囲する位置へと常時付勢するスプリング３０と、カバー２８から転写ヘッド２４の使用を阻害しない位置に突出したガイド３２と、を備える。【選択図】  図２
2005271211.tif 000002
【特許請求の範囲】
【請求項１】
開口部を有するケースと、ケース内に配設されて基材テープに塗膜を備えた転写テープを繰り出す繰出部及び転写後の転写テープを巻き取る巻取部と、ケースの開口部に配設されて転写テープを被転写面に押圧して塗膜を転写する転写ヘッドと、からなる塗膜転写具において、
ケースの開口部付近に設けられて、ケースに対して、転写ヘッドを包囲する位置と、転写ヘッドを露出する位置との間で移動可能なカバーと、該カバーを転写ヘッドを包囲する位置へと常時付勢する弾性体と、該カバーから転写ヘッドの使用を阻害しない位置に突出するガイドと、を備えることを特徴とする塗膜転写具。
【請求項２】
前記ガイドは、転写ヘッドによる転写移動方向に対してその左右両側にそれぞれ配置されるように、位置づけられることを特徴とする請求項１記載の塗膜転写具。
【請求項３】
前記ガイドは、カバーの先端部から先方に突出するものであることを特徴とする請求項１または２記載の塗膜転写具。
【発明の詳細な説明】
【技術分野】
【０００１】
本発明は、修正用、接着用、マーカー（ハイライター）用等の任意の塗膜を備えた転写テープを被転写面に転写する塗膜転写具に関し、特に、その転写ヘッド及び転写ヘッドの回りに位置する転写テープを保護することができる塗膜転写具に関する。
【背景技術】
【０００２】
従来、この種の塗膜転写具としては、特許文献１に記載されたものが知られている。この文献に記載されたものは、本体と本体に対して着脱自在となったカートリッジ体とを備えており、このカートリッジ体に供給リール軸及び巻き上げリール軸を配設する基板並びに転写ヘッド、ヘッドカバー及びスライドカバーを一体に設けており、該ヘッドカバーは転写ヘッドの先端部のみを露出し、スライドカバーは本体先端に前後方向に摺動自在に形成され、ヘッドカバーを覆い、転写ヘッド先端を隠蔽できるようになっている。この塗膜転写具を使用していない場合には、スライドカバーを本体に対して摺動させ、最先部まで前進させて、転写ヘッドの先端部がスライドカバーの中に収納されるようにする。これによって、転写ヘッドの保護を図ることができる。また、塗膜転写具を使用するときには、逆にスライドカバーを本体に対して摺動させ、最後部まで後退させて、転写ヘッドの先端を外部に露出させて使用できるようにする。
【０００３】
しかしながら、かかる従来の塗膜転写具では、スライドカバーを手動でスライドさせなければならないために、手間がかかるという問題がある。また、上記公報に記載された以外の従来技術として、本体に対し着脱可能となったカバーを転写ヘッドを保護しうるように本体に被着することも一般的に行われているが、同様に、カバーの取り外しに手間がかかり、カバーの紛失のおそれがあるという問題がある。
【０００４】
【特許文献１】特許第２８６９８５５号公報
【発明の開示】
【発明が解決しようとする課題】
【０００５】
本発明はかかる課題に鑑みなされたもので、その目的は、不使用時に転写ヘッドを保護することができるカバーを設けることができ、且つそのカバーによる保護を自動的に設定・解除することができる塗膜転写具を提供することである。
【課題を解決するための手段】
【０００６】
前述した目的を達成するために、請求項１記載の発明は、開口部を有するケースと、ケース内に配設されて基材テープに塗膜を備えた転写テープを繰り出す繰出部及び転写後の転写テープを巻き取る巻取部と、ケースの開口部に配設されて転写テープを被転写面に押圧して塗膜を転写する転写ヘッドと、からなる塗膜転写具において、
ケースの開口部付近に設けられて、ケースに対して、転写ヘッドを包囲する位置と、転写ヘッドを露出する位置との間で移動可能なカバーと、該カバーを転写ヘッドを包囲する位置へと常時付勢する弾性体と、該カバーから転写ヘッドの使用を阻害しない位置に突出するガイドと、を備えることを特徴とする。
【０００７】
請求項２記載の発明は、請求項１記載のものにおいて、前記ガイドが、転写ヘッドによる転写移動方向に対してその左右両側にそれぞれ配置されるように、位置づけられることを特徴とする。
【０００８】
請求項３記載の発明は、請求項１または２記載のものにおいて、前記ガイドが、カバーの先端部から先方に突出するものであることを特徴とする。
【発明の効果】
【０００９】
請求項１記載の発明によれば、不使用の場合には、弾性体によってカバーが転写ヘッドを包囲する位置へと付勢されているために、カバーは転写ヘッドを包囲し、よって転写ヘッドの保護を行うことができる。転写ヘッドを使用する場合には、カバーに取り付けられたガイドを被転写面に押し当てれば、カバーが弾性体の付勢力に抗して後退して転写ヘッドを露出する位置へと移動するために、転写ヘッドを使用することができるようになる。このとき、先端部は転写ヘッドの使用を阻害しない位置にあり、ガイドによってカバーを押圧しながら、転写ヘッドを使用することができる。使用を終了して、ガイドを被転写面から離すと、弾性体の付勢力によりカバーが転写ヘッドを包囲する位置に自動的に復帰する。こうして、カバーを自動的に設定・解除することができる。
【００１０】
使用の際に、ガイドを被転写面の被転写位置に当接させて塗膜転写具の位置決めをすることができ、ガイドは位置決めガイドとしても機能することができる。
【００１１】
請求項２記載の発明によれば、転写を行うべく、転写ヘッドを移動する際に、その転写移動方向の左右両側にガイドが配置されるので、これらによって、安定して塗膜転写具全体を真っ直ぐに移動させることができ、転写された塗膜が蛇行することなく、きれいに転写を行うことができるようになる。
【００１２】
請求項３記載の発明によれば、ガイドを被転写面に押し当てることにより受ける反力を効率よくカバーに伝達することができ、カバーを後退させることができる。
【発明を実施するための最良の形態】
【００１３】
以下、図面を用いて本発明の実施の形態を説明する。尚、以下の実施形態は本発明を限定するものではない。
【００１４】
図１は本発明の実施形態に係る塗膜転写具を表す全体図、図２はその縦断面図である。塗膜転写具１０はケース１２を有しており、ケース１２内には繰出部１８と、巻取部２０とが配設される。尚、ケース１２は、複数の部材から構成されていてもよい。
【００１５】
繰出部１８は、基材テープに塗膜を備えた転写テープ１６が巻き付けられて、使用時にその転写テープ１６を繰出す繰出リール１８ａと、繰出リール１８ａに隣接して設けられるプーリ部１８ｂとからなり、ケース１２内に突設された支軸１２ｅに軸支されている。
【００１６】
巻取部２０は、転写後の転写テープ１６を巻き取る巻取リール２０ａと、巻取リール２０ａに隣接して設けられるプーリ部２０ｂとからなり、ケース１２内に突設された支軸１２ｆに軸支されている。
【００１７】
そして、繰出部１８と巻取部２０との間には、これらを連動して回転させるための回転伝達機構２２が設けられる。この例の場合には、回転伝達機構２２は、繰出部１８のプーリ部１８ｂと巻取部２０のプーリ部２０ｂとの間を掛け渡された無端状のゴムベルトから構成され、このゴムベルトは、繰出部１８に発生した巻解方向の回転力を巻取部２０の巻取方向の回転力に、スリップを許容しつつ伝達する役割を果たしている。
【００１８】
ケース１２の先端に設けられた開口部１２ａには、転写ヘッド２４が配設される。転写ヘッド２４は、その基端がケース１２に支持されており、その先端２４ａがケース１２の開口部１２ａから突出して、支持部分を支点として撓むことができるストリップ状のものとなっている。勿論、このようなストリップタイプのヘッドに限らず、ローラタイプのヘッドとすることも可能である。繰出リール１８ａから繰出された前記転写テープ１６は、開口部１２ａから一旦ケース１２外へと出て、転写ヘッド２４の先端２４ａの回りを回って、再びケース１２内へと入り巻取リール２０へと達する。
【００１９】
ケース１２の開口部１２ａ近傍は縮径された縮径部１２ｂとなっており、その縮径部１２ｂの外側を摺動可能に筒状のカバー２８が配設されている。カバー２８の本体の基端部には一対の基端アーム２８ａが延設されており、該基端アーム２８ａは、ケース１２の縮径部１２ｂとそれ以外の部分との境界部に形成された開口１２ｃを挿通してケース１２内に進入している。そして基端アーム２８ａの先端部に形成された摺動部２８ｂが、ケース１２内に形成された摺動溝１２ｄに摺動可能に嵌め込まれている。摺動部２８ｂが摺動溝１２ｄを摺動可能な範囲で、カバー２８はケース１２の縮径部１２ｂに沿って移動することができ、その移動範囲は、カバー２８が転写ヘッド２４の先端２４ａを包囲する位置と、カバー２８が転写ヘッド２４の先端２４ａを露出する位置との間の範囲となっている。
【００２０】
ケース１２の縮径部１２ｂとそれ以外の部分との境界部と、カバー２８の本体との間には、弾性体であるスプリング３０が介挿されており、このスプリング３０によってカバー２８は常時、前方へと付勢されており、言い換えれば、転写ヘッド２４の先端２４ａを包囲する位置へと付勢されている。
【００２１】
さらに、カバー２８には、カバー２８の前方へと突出する先端ガイド３２が設けられている。先端ガイド３２は、この例では金属ワイヤを湾曲し、その基端をカバー２８に固着したもので構成されているが、これに限るものではなく、カバー２８と一体に形成されたものであってもよく、例えばカバー２８と一体のプラスチック成形品とすることができる。先端ガイド３２は、転写ヘッド２４の先端２４ａが被転写面に押圧されて転写のために移動するときに、その転写移動方向に対して左右両側に配置されるように、即ち、転写ヘッド２４による転写を阻害しないように、カバー２８に位置づけられる。
【００２２】
以上のように構成される塗膜転写具１０において、その作用を説明する。まず、塗膜転写具１０の不使用状態においては、前述のようにカバー２８がスプリング３０のスプリング力によって転写ヘッド２４の先端２４ａを包囲する位置にあり、これによって転写ヘッド２４の先端２４ａが保護されている。
【００２３】
使用する場合には、塗膜を転写しようとする転写するべき位置を挟むようにして、一対の先端ガイド３２を被転写面Ｓに当接させる（図４（ａ））。そして、先端ガイド３２を被転写面Ｓに押し付けていくと、被転写面Ｓからの反力により先端ガイド３２及びカバー２８がスプリング３０のスプリング力に抗して後退して、転写ヘッド２４の先端２４ａを露出し、さらには転写ヘッド２４を被転写面Ｓに押圧させることができる。こうして、転写ヘッド２４を被転写面Ｓに押圧させた状態で、塗膜転写具１０全体を転写ヘッド２４の転写方向に移動させていくと、繰出部１８から順次繰出された転写テープ１６の塗膜が被転写面Ｓに転写される（図４（ｂ））。
【００２４】
この塗膜転写具１０を被転写面に位置づける際に、まず、先端ガイド３２を当接させることで、位置決めを行うことができ、先端ガイドは位置決めガイドとしても機能する。
【００２５】
また、この塗膜転写具１０を移動させる際に、先端ガイド３２がその転写移動方向を挟んでその左右両側から被転写面Ｓに当接しているために、ケース１２自体を安定して真っ直ぐに移動させることができるようになり、転写された塗膜が蛇行することなく、きれいに転写を行うことができるようになる。
【００２６】
所望の転写が終了して、塗膜転写具１０を被転写面Ｓから離すと、スプリング３０のスプリング力により、カバー２８が転写ヘッド２４の先端２４ａを包囲する位置へと復帰し、転写ヘッド２４の先端２４ａが自動的に保護される（図４（ｃ））。
【００２７】
こうしてカバー２８を自動的に設定・解除することができるようになる。このように本実施形態によれば、カバー２８を手動で操作する必要がないので使用に便利であり、また、従来のような着脱可能なカバーの場合のように紛失したりするおそれがない。
【００２８】
また、この実施形態では、先端ガイド３２がカバー２８の先端部から先方に突出しているが、これに限るものではなく、先端ガイド３２がカバー２８の側方等に突出しており、被転写面に塗膜転写具１０を斜めにして当接させるときに、カバー２８よりも先に被転写面に当接するように構成され、その被転写面からの反力をカバー２８を後退させる力として伝達することができるものであれば、いかなるものであってもよい。
【図面の簡単な説明】
【００２９】
【図１】本発明の実施形態に係る塗膜転写具を表す全体側面図である。
【図２】図１の塗膜転写具の縦断面図である。
【図３】図１の塗膜転写具の使用状態を表す全体側面図である。
【図４】図１の塗膜転写具の使用状態を表す図である。
【符号の説明】
【００３０】
１０  塗膜転写具
１２  ケース
１２ａ  開口部
１８  繰出部
２０  巻取部
２４  転写ヘッド
２８  カバー
３０  スプリング（弾性体）
３２  先端ガイド（ガイド）
【図１】
2005271211.tif 000003
【図２】
2005271211.tif 000004
【図３】
2005271211.tif 000005
【図４】
2005271211.tif 000006